(57)【特許請求の範囲】
【請求項１】
筐体の一つの側面に設けた吸込み口から空気を送風機で吸引し、この送風機の吹き出側の送風ケーシングに設けた殺菌手段で吸引した空気の一部を殺菌して前記筐体の上面の吹出し口から吹き出するようにした空気清浄機において、前記送風ケーシングは、垂直流路と、この垂直流路に続く水平流路と、この水平流路から前記吹出し口に連通する吹出し流路とからなり、前記殺菌手段は、前記垂直流路から水平流路にかけて屈折した上部角隅部に配置したことを特徴とする空気清浄機。
【請求項２】
前記殺菌手段は、一端部側に送風機からの空気を導入する導入口を有し、他端部側に殺菌処理後の空気の吹出し窓を有し、内部に導入された空気の殺菌処理をすると共に、オゾンを発生するオゾン発生手段を有する扁平なオゾン発生用ＵＶボックスからなることを特徴とする請求項１記載の空気清浄機。
【請求項３】
前記水平流路は、本流路と分岐流路とに分岐され、本流路にマイナスイオンを発生するイオナイザを配置し、分岐流路に殺菌処理をするオゾン発生用ＵＶボックスを配置し、マイナスイオンを含む空気と殺菌処理した空気を前記吹き出し口から吹き出すようにしたことを特徴とする請求項１又は２記載の空気清浄機。
【請求項４】
前記オゾン発生用ＵＶボックスは、その底板を前方にかけて次第に立ち上がる方向に傾斜した底板斜面部とし、送風ケーシングは、前記底板斜面部に対向している箇所を導風曲面部とすることにより、水平流路から吹出し流路にかけての屈曲部を滑らかな曲線に形成し、前記送風ケーシングは、送風機に続く垂直流路から水平流路に屈折する角部に導風斜面部を形成し、前記オゾン発生用ＵＶボックスは、その底板に形成した導入口に空気を導くために、前記送風ケーシングの導風斜面部と対向し、かつ、同一向きに傾斜した送風ガイド板を底板と一体に形成することにより、垂直流路から水平流路にかけての屈曲部を滑らかに屈曲して形成したことを特徴とする請求項２又は３記載の空気清浄機。
【請求項５】
前記殺菌手段としてのオゾン発生用ＵＶボックスの底板に空気の導入口を形成し、この導入口に沿ってＵＶ遮蔽板を立ち上がらせると共に、殺菌手段としてのオゾン発生用ＵＶボックスの天板に内方に突出したオゾン反射部を設けたことを特徴とする請求項２、３又は４記載の空気清浄機。
【発明の詳細な説明】
【技術分野】
【０００１】
本発明は、全体的な形状を小型化するために、殺菌手段としてのオゾン発生用ＵＶボックスを薄型化しても、送風ケーシングにおける送風抵抗をできるだけ小さくし、かつ、効果的な空気清浄を可能にした空気清浄機に関するものである。
【背景技術】
【０００２】
オゾン発生用ＵＶボックスなどの紫外線ランプユニット１８を搭載した従来の空気清浄機１０として、図５に示すものが知られている（特許文献１）。この従来の空気清浄機１０は、前板１１と、後板１２と、天板と、底板と、両側板とにより本体が形成され、この本体は、全体の形状が略４角筒型をなし、室内に据え置かれる。前記前板１１には、中央に吸込み口１３が形成され、上部にドルノ線放射窓２７が形成されている。また、本体の天板には、吹出し口１４が形成されている。前記本体の内部には、前記吸込み口１３に臨ませてフィルタ１５が取り付けられ、このフィルタ１５と前記後板１２との間には、送風ファン１６とファンモータ１７が取り付けられている。前記送風ファン１６と前記吹出し口１４との間の垂直な空気通路２１には、紫外線ランプユニット１８が設けられている。
【０００３】
前記紫外線ランプユニット１８は、ケース１９と、このケース１９の内部に設けられた紫外線ランプ２０とを主体とし、また、前記空気通路２１に臨ませたケース１９の下面に、流入口２２が設けられるとともに、紫外線遮光部材２４が取り付けられ、ケース１９の上面の吹出し口１４に臨ませて、流出口２３が設けられるとともに、紫外線遮光部材２５が取り付けられている。前記ケース１９の前面には、前記ドルノ線放射窓２７に臨ませてフィルタ２６が設けられている。
【０００４】
以上の構成において、清浄化しようとする空気は、ファンモータ１７で送風ファン１６を回転させることにより前板１１の吸込み口１３から吸い込まれ、フィルタ１５で塵埃と臭気成分が除去され、空気通路２１を通り、紫外線ランプユニット１８の流入口２２からケース１９内に取り込まれる。取り込まれた空気は、ケース１９内の紫外線ランプ２０により殺菌処理され、殺菌処理された空気は、流出口２３を経て吹出し口１４から室内に吹き出される。また、前記紫外線ランプ２０から放射される紫外線の一部がフィルタ２６を介してドルノ線放射窓２７から室内に放射されるが、このフィルタ２６は、紫外線ランプ２０から放射される殺菌のための紫外線のうち、人体に有害な波長を遮断し、人体にとってビタミンを生成する上で有益な波長３２０ｎｍ前後の紫外線（ドルノ線）のみ通過させる。なお、紫外線遮光部材２４と紫外線遮光部材２５は、人体に有害な紫外線や合成樹脂を劣化させる紫外線の漏出を防止するためのものである。
【先行技術文献】
【特許文献】
【０００５】
【特許文献１】特開２００５−３１２７６８号公報。
【発明の概要】
【発明が解決しようとする課題】
【０００６】
従来の空気清浄機１０は、送風ファン１６と吹出し口１４との間の空気通路２１が垂直方向に形成されていたため、この垂直な空気通路２１に紫外線ランプユニット１８を据え付けなければならないことと、紫外線ランプユニット１８をより効果的に機能させるには、紫外線を照射させる距離をより長くとることが望ましいので、紫外線ランプユニット１８が大型化することと相俟って、空気清浄機全体の高さが高くなる原因を作っていた。このため、小型化の要請に応えられなかった。  
【０００７】
本発明は、空気清浄機全体の高さをより低くするために紫外線ランプを内蔵した殺菌手段としてのオゾン発生用ＵＶボックスを薄型化すると共に、送風ケーシングにおける送風抵抗を小さくするように構成して殺菌効果をより一層高めることを目的とする。
【０００８】
また、本発明は、殺菌手段としてのオゾン発生用ＵＶボックスにおける送風ガイド板と遮光板とを一体化して余分なスペースをなくし、より小型化することを目的とする。
【課題を解決するための手段】
【０００９】
本発明は、筐体の一つの側面に設けた吸込み口から空気を吸引し、この送風機の吹出し側の送風ケーシングに設けた殺菌手段で吸引した空気の一部を殺菌して前記筐体天板の吹出し口から吹き出すようにした空気清浄機において、前記送風ケーシングは、垂直流路と、この垂直流路に続く水平流路と、この水平流路から前記吹出し口に連通する吹出し流路とからなり、前記殺菌手段は、前記垂直流路から水平流路にかけて屈折した上部角隅部に配置する。
【００１０】
前記殺菌手段は、一端部側に空気の導入口を有し、他端部側に空気の吹出し窓を有し、内部に導入された空気の殺菌処理をすると共に、オゾンを発生するオゾン発生手段を有する扁平なオゾン発生用ＵＶボックスからなる。
【００１１】
前記水平流路は、本流路と分岐流路とに分岐され、本流路にマイナスイオンを発生するイオナイザを配置し、分岐流路に殺菌処理をするオゾン発生用ＵＶボックスを配置し、マイナスイオンを含む空気と殺菌処理した空気を前記吹き出し口から吹き出すように構成する。
【００１２】
前記オゾン発生用ＵＶボックスは、その底板を前方にかけて次第に立ち上がる方向に傾斜した底板斜面部とし、送風ケーシングは、前記底板斜面部に対向している箇所を導風曲面部とすることにより、水平流路から吹出し流路にかけての屈曲部を滑らかな曲線に形成し、前記送風ケーシングは、送風機に続く垂直流路から水平流路に屈折する角部に導風斜面部を形成し、前記オゾン発生用ＵＶボックスは、その底板に形成した導入口に空気を導くために、前記送風ケーシングの導風斜面部と対向し、かつ、同一向きに傾斜した送風ガイド板を底板と一体に形成することにより、垂直流路から水平流路にかけての屈曲部を滑らかに屈曲して形成する。
【００１３】
前記オゾン発生用ＵＶボックスは、その底板に空気の導入口を形成し、この導入口に沿ってＵＶ遮蔽板を立ち上がらせ、その天板に内方に突出したオゾン反射部を設ける。
【発明の効果】
【００１４】
請求項１記載の発明によれば、筐体の一つの側面に設けた吸込み口から空気を送風機で吸引し、この送風機の吹き出側の送風ケーシングに設けた殺菌手段で吸引した空気の一部を殺菌して前記筐体の上面の吹出し口から吹き出するようにした空気清浄機において、前記送風ケーシングは、垂直流路と、この垂直流路に続く水平流路と、この水平流路から前記吹出し口に連通する吹出し流路とからなり、前記殺菌手段は、前記垂直流路から水平流路にかけて屈折した上部角隅部に配置したので、空気清浄機全体の高さをより低くするために紫外線ランプを内蔵した殺菌手段を薄型化しながら、送風ケーシングにおける送風抵抗を小さくできる。
【００１５】
請求項２記載の発明によれば、殺菌手段は、一端部側に送風機からの空気を導入する導入口を有し、他端部側に殺菌処理後の空気の吹出し窓を有し、内部に導入された空気の殺菌処理をすると共に、オゾンを発生するオゾン発生手段を有する扁平なオゾン発生用ＵＶボックスからなる構成としたので、オゾン発生用ＵＶボックスが扁平でも空気を抵抗少なく流通して紫外線ランプで効率よく照射殺菌することができる。
【００１６】
請求項３記載の発明によれば、水平流路は、本流路と分岐流路とに分岐し、本流路にマイナスイオンを発生するイオナイザを配置し、分岐流路に殺菌処理をするオゾン発生用ＵＶボックスを配置し、マイナスイオンを含む空気と殺菌処理した空気を吹き出し口から吹き出すようにしたので、空気清浄機全体の高さを高くすることなく空気清浄機が設置された空間をオゾンとマイナスイオンで脱臭することができる。
【００１７】
請求項４記載の発明によれば、オゾン発生用ＵＶボックスは、その底板を前方にかけて次第に立ち上がる方向に傾斜した底板斜面部とし、送風ケーシングは、前記底板斜面部に対向している箇所を導風曲面部とすることにより、水平流路から吹出し流路にかけての屈曲部を滑らかな曲線に形成し、前記送風ケーシングは、送風機に続く垂直流路から水平流路に屈折する角部に導風斜面部を形成し、前記オゾン発生用ＵＶボックスは、その底板に形成した導入口に空気を導くために、前記送風ケーシングの導風斜面部と対向し、かつ、同一向きに傾斜した送風ガイド板を底板と一体に形成することにより、垂直流路から水平流路にかけての屈曲部を滑らかに屈曲して形成したので、屈曲部をできるだけ滑らかにして主流の送風を可能な限り抵抗なく流通し、また、水平流路から吹出し流路にかけても滑らかに屈曲してマイナスイオンを含む空気（イオン吹出し流）の送風を可能な限り抵抗なく流通することができる。さらに、殺菌手段としてのオゾン発生用ＵＶボックスにおける送風ガイド板と遮光板とを一体化して余分なスペースをなくし、より小型化することができる。
【００１８】
請求項５記載の発明によれば、殺菌手段としてのオゾン発生用ＵＶボックスの底板に空気の導入口を形成し、この導入口に沿ってＵＶ遮蔽板を立ち上がらせると共に、殺菌手段としてのオゾン発生用ＵＶボックスの天板に内方に突出したオゾン反射部を設けたので、オゾン発生手段の点灯により放射された紫外線のうち、導入口へ向かう紫外線は、ＵＶ遮蔽板で遮られる。また、天板で反射する紫外線は、オゾン反射部で反射角が変えられるため、導入口へ向かって反射することがない。従って、オゾン発生手段の点灯により放射された紫外線が導入口から外部へ漏洩するのを防止できる。
【図面の簡単な説明】
【００１９】
【図１】本発明による空気清浄機の一実施例を示す縦断面図である。
【図２】本発明による空気清浄機の内部に取り付けた殺菌手段としてのオゾン発生用ＵＶボックスの一部を切り欠いた斜視図である。
【図３】本発明による空気清浄機を背面からみた全体の斜視図である。
【図４】本発明による空気清浄機を正面からみた全体の斜視図である。
【図５】従来の空気清浄機の縦断面図である。
【発明を実施するための形態】
【００２０】
本発明による空気清浄機は、筐体の一つの側面に設けた吸込み口から空気を送風機で吸引し、この送風機の吹き出側の送風ケーシングに設けた殺菌手段で吸引した空気の一部を殺菌して前記筐体の上面の吹出し口から吹き出するようにした空気清浄機において、前記送風ケーシングは、垂直流路と、この垂直流路に続く水平流路と、この水平流路から前記吹出し口に連通する吹出し流路とからなり、前記殺菌手段は、前記垂直流路から水平流路にかけて屈折した上部角隅部に配置したことを特徴とする。
【００２１】
本発明による空気清浄機の殺菌手段は、一端部側に送風機からの空気を導入する導入口を有し、他端部側に殺菌処理後の空気の吹出し窓を有し、内部に導入された空気の殺菌処理をすると共に、オゾンを発生するオゾン発生手段を有する扁平なオゾン発生用ＵＶボックスからなることを特徴とする。
【００２２】
本発明による空気清浄機の水平流路は、本流路と分岐流路とに分岐され、本流路にマイナスイオンを発生するイオナイザを配置し、分岐流路に殺菌処理をするオゾン発生用ＵＶボックスを配置し、マイナスイオンを含む空気と殺菌処理した空気を吹き出し口から吹き出すようにしたことを特徴とする。
【００２３】
本発明による空気清浄機のオゾン発生用ＵＶボックスは、その底板を前方にかけて次第に立ち上がる方向に傾斜した底板斜面部とし、送風ケーシングは、前記底板斜面部に対向している箇所を導風曲面部とすることにより、水平流路から吹出し流路にかけての屈曲部を滑らかな曲線に形成し、前記送風ケーシングは、送風機に続く垂直流路から水平流路に屈折する角部に導風斜面部を形成し、前記オゾン発生用ＵＶボックスは、その底板に形成した導入口に空気を導くために、前記送風ケーシングの導風斜面部と対向し、かつ、同一向きに傾斜した送風ガイド板を底板と一体に形成することにより、垂直流路から水平流路にかけての屈曲部を滑らかに屈曲して形成したことを特徴とする。
【００２４】
本発明による空気清浄機は、殺菌手段としてのオゾン発生用ＵＶボックスの底板に空気の導入口を形成し、この導入口に沿ってＵＶ遮蔽板を立ち上がらせ、殺菌手段としてのオゾン発生用ＵＶボックスの天板に内方に突出したオゾン反射部を設けたことを特徴とする。
【実施例１】
【００２５】
本発明による空気清浄機３０の実施例１を図１ないし図４に基づき説明する。
【００２６】
本発明による空気清浄機３０の筐体２９の全体形状は、図３及び図４に示すように、幅、奥行き、高さがおよそ１：１：１．５の略４角筒型をなし、空気清浄機の高さを幅、奥行きに比較してできるだけ抑えて小型化したものである。
【００２７】
前記筐体２９は、前板３１と、後板３２と、天板３３と、両側板８０、８１と、底板８２で構成され、前記後板３２には、略全面に吸込み口３４が形成され、天板３３には、前板３１側に操作パネル５５が設けられ、後板３２側に吹出し口３５を開閉する蓋体５６が設けられている。また、両側板８０、８１には、持ち運び用の手掛け凹部８０１、８１１が形成されている。
【００２８】
前記筐体２９内には、後板３２の吸込み口３４に臨ませて、プレフィルタ３６と集塵フィルタ３７を取り付け、その前側（前板３１側）にさらにヒータ脱臭ユニット３８を取り付ける。実施例１における空気清浄機３０は、加湿器機能を有しているため、前記ヒータ脱臭ユニット３８の前側にやや隙間を置いて気化フィルタ３９が取り付けられる。この気化フィルタ３９は、回転軸４０を中心にしてモータ８４と駆動歯車で回転して底板８２側に配置された給水トレイ８３から水を汲み上げて気化フィルタ３９に降り掛けることにより常に湿潤状態に保たれる。
【００２９】
この気化フィルタ３９と前記前板３１との隙間には、ファン４２とファンモータ４３からなる送風機４４が取り付けられる。この送風機４４におけるファン４２の外側から前記吹出し口３５までは、送風ケーシング７９によって湿潤空気の通路を形成している。
【００３０】
空気清浄機３０は、筐体２９の高さをできるだけ低く抑えるため、湿潤空気の通路を構成する送風ケーシング７９は、送風機４４の上で垂直に立ち上げてから水平に伸ばし、さらに前記後板３２の近くでさらに立ち上げ前記吹出し口３５に連通させている。この結果、湿潤空気の通路を構成する送風ケーシング７９は、送風機４４の上方の垂直流路７２と、この垂直流路７２を屈曲して続く水平流路７３と、さらにこの水平流路７３に続く垂直な吹出し流路７４とで構成されている。この送風ケーシング７９は、空気抵抗を少なくするために垂直流路７２から水平流路７３にかけて導風斜面部７５とするとともに、水平流路７３から吹出し流路７４にかけて導風曲面部７６としている。
【００３１】
前記送風ケーシング７９における垂直流路７２から水平流路７３にかけての上部角隅部分には、殺菌手段としてのオゾン発生用ＵＶボックス５３が取り付けられ、水平流路７３の途中には、イオナイザ５９が取り付けられる。
【００３２】
前記オゾン発生用ＵＶボックス５３の詳細は、図２に示されているように、天板６２と、底板６３と、両側板６４、６４と、後板６５と、前板６６にて略正４角形で高さが幅の１／６〜１／７の扁平な箱状に形成されている。このオゾン発生用ＵＶボックス５３の内部の略中央にオゾン発生用の紫外線ランプ（オゾン発生手段５４）が取り付けられている。この紫外線ランプは、オゾンを生成する１８５ｎｍの波長（オゾン線）と共に、細菌やウイルスのＤＮＡを破壊する２５４ｎｍの波長（殺菌線）を照射する。従って、オゾン発生用ＵＶボックスは、その内部でオゾンを発生すると共に、内部に導入された空気の殺菌処理も行う。前記天板６２には、前記オゾン発生手段５４の真上からやや後板６５側に寄って内方へ突出した溝状のオゾン反射部６７が形成され、また、前板６６の近くに２つの吹出し窓６８が設けられ、この吹出し窓６８には、オゾンを分解してオゾン濃度を人体に悪影響を与えないように低濃度化するためのオゾン分解触媒６１が設けられている。前記底板６３は、略中央のオゾン発生手段５４の取り付け位置から前板６６側にかけて徐々に立ち上げた底板斜面部７７として先端の形状を次第に薄くしている。この底板斜面部７７とこの底板斜面部７７に対向している前記導風曲面部７６とによって屈曲部を滑らかな曲線に形成し、水平流路７３から吹出し流路７４にかけて滑らかに屈曲してマイナスイオン吹出し流５２の送風を可能な限り抵抗なく流通するように構成している。
【００３３】
前記底板６３の後板６５側に２列の細長い導入口７０が形成され、この２列の導入口７０から空気は導入されるが、オゾン発生手段５４の紫外線が外部に漏れないように、２つの導入口７０とオゾン発生手段５４の間に、それぞれＵＶ遮蔽板６９が天板６２との間に空気の流通する隙間を持って設けられている。前記底板６３の略中央部分から２つの導入口７０に臨ませて下向きに傾斜した送風ガイド板７１が設けられ、この送風ガイド板７１と前板３１との隙間４５から２つの導入口７０に分岐流４９を導くようになっている。この送風ガイド板７１と対向する送風ケーシング７９の導風斜面部７５とは、互いに同一方向の傾斜面となっており、屈曲部を滑らかにして主流４８の送風を可能な限り抵抗なく流通している。
【００３４】
さらに、前記底板斜面部７７に下向きに角筒状のオゾンダクト６０を連結し、このオゾンダクト６０の下端部が前記ヒータ脱臭ユニット３８と気化フィルタ３９の間に挿入され、このオゾンダクト６０の下方の一方側に切り欠き形成した吹付け口４７からオゾンを気化フィルタ３９に吹き付けて、気化フィルタ３９を脱臭するようになっている。
【００３５】
前記オゾン発生用ＵＶボックス５３における吹出し窓６８には、オゾンを含む空気（オゾン吹出し流５１）を噴き出すオゾン吹出し口５７が形成されている。そして、蓋体５６を開くと、オゾン吹出し流５１は、吹出し流路７４からのマイナスイオン吹出し流５２と吹出し口３５で混合されて吹き出される。
【００３６】
以上のように構成された本発明による空気清浄機３０の作用を説明する。
【００３７】
操作パネル５５を操作して電源を入れ、蓋体５６を手動又は自動により開放する。送風機４４のファンモータ４３によりファン４２が回転すると、後板３２の吸込み口３４から空気が吸い込まれ、プレフィルタ３６と集塵フィルタ３７とヒータ脱臭ユニット３８を通って空気の除塵、脱臭が行われる。気化フィルタ３９は、回転軸４０を中心にしてモータ８４と駆動歯車で回転して底板８２側に配置された給水トレイ８３から水を汲み上げて気化フィルタ３９に降り掛けることにより常に湿潤状態に保たれ、気化フィルタ３９を通る空気を加湿して送り出す。加湿された空気は、垂直流路７２に送り出され、主流４８は、垂直流路７２から水平流路７３へ送られる。水平流路７３を通過する空気は、イオナイザ５９によってその空気分子がマイナスイオン化される。このようにマイナスイオン化された空気分子を含む空気（イオン吹出し流５２）は、吹出し流路７４を経て吹出し口３５から吹き出される。
【００３８】
送風機４４から吹き出された主流４８の一部は、隙間４５から分岐流４９として送風ガイド板７１へ導かれ、２つの導入口７０を通ってオゾン発生用ＵＶボックス５３の内部に送り込まれ、オゾン発生手段５４の紫外線に照射されて殺菌されると共に、オゾンを発生する。オゾンを含んだオゾン吹出し流５０の大半は、オゾン分解触媒６１で人体に悪影響しない程度にオゾン濃度を希釈してオゾン吹出し流５１として吹き出され、オゾン吹出し口５７からの前記マイナスイオン吹出し流５２と混合して室内に放射される。
【００３９】
また、オゾン発生用ＵＶボックス５３内で殺菌されたオゾン吹出し流５０の一部は、オゾンダクト６０を通って吹付け口４７から気化フィルタ３９に吹き付けられる。このとき、オゾン発生用ＵＶボックス５３の内部は、送風機４４の出口側であるため正圧で、気化フィルタ３９は、送風機４４の入り口側であるため負圧であるから、オゾン発生用ＵＶボックス５３で発生したオゾンを含んだ空気は、気圧の差で吹付け口４７に向かって吸引されて気化フィルタ３９に吹き付けられる。これにより、気化フィルタ３９は脱臭される。
【００４０】
オゾン発生手段５４の点灯により放射された紫外線のうち、導入口７０へ向かう紫外線は、ＵＶ遮蔽板６９で遮られる。また、天板６２で反射する紫外線は、オゾン反射部６７で反射角が変えられるため、導入口７０へ向かって反射することがない。従って、オゾン発生手段５４の点灯により放射された紫外線が導入口７０から外部へ漏洩するのを防止できる。
【実施例２】
【００４１】
前記実施例１では、筐体２９の後板３２に設けた吸込み口３４から前板３１側に設けた送風機４４で空気を吸い込み、送風ケーシング７９の垂直流路７２、水平流路７３、吹出し流路７４を経て天板３３の後方の吹出し口３５から吹き出すようにした。このような構成とすることで、天板３３の操作パネル５５を前板３１側に設けることができ、操作性に優れている。
【００４２】
しかし、これに限られるものではなく、前板３１に吸込み口３４を設けてこの前板３１に設けた吸込み口３４から後板３２側に設けた送風機４４で空気を吸い込み、送風ケーシング７９の垂直流路７２、水平流路７３、吹出し流路７４を経て天板３３の前方の吹出し口３５から吹き出すような構成とすることもできる。このように前板３１を室内に向けることで室内の広範囲の空気を吸い込み、清浄化することができる。また、吸込み口３４は、いずれか一方の側板８０、８１に設けることもできる。
【符号の説明】
【００４３】
１０…従来の空気清浄機、１１…前板、１２…後板、１３…吸込み口、１４…吹出し口、１５…フィルタ、１６…送風ファン、１７…ファンモータ、１８…紫外線ランプユニット、１９…ケース、２０…紫外線ランプ、２１…空気通路、２２…流入口、２３…流出口、２４…紫外線遮光部材、２５…紫外線遮光部材、２６…フィルタ、２７…ドミノ線放射窓、２９…筐体、３０…本発明による空気清浄機、３１…前板、３２…後板、３３…天板、３４…吸込み口、３５…吹出し口、３６…プレフィルタ、３７…集塵フィルタ、３８…ヒータ脱臭ユニット、３９…気化フィルタ、４０…回転軸、４１…ガイド部材、４２…ファン、４３…ファンモータ、４４…送風機、４５…隙間、４７…吹付け口、４８…主流、４９…分岐流、５０…オゾン含有流、５１…オゾン吹出し流、５２…マイナスイオン吹出し流、５３…殺菌手段としてのオゾン発生用ＵＶボックス、５４…オゾン発生手段、５５…操作パネル、５６…蓋体、５７…オゾン吹出し口、５８…メイン基板、５９…イオナイザ、６０…オゾンダクト、６１…オゾン分解触媒、６２…天板、６３…底板、６４…側板、６５…後板、６６…前板、６７…オゾン反射部、６８…吹出し窓、６９…ＵＶ遮蔽板、７０…導入口、７１…送風ガイド板、７２…垂直流路、７３…水平流路、７４…吹出し流路、７５…導風斜面部、７６…導風曲面部、７７…底板斜面部、７８…保護膜、７９…送風ケーシング、８０…側板、８１…側板、８２…底板、８３…給水トレイ、８４…モータ、８０１…手掛け凹部、８１１…手掛け凹部。
【図１】
0005382622.tif 000002
【図２】
0005382622.tif 000003
【図３】
0005382622.tif 000004
【図４】
0005382622.tif 000005
【図５】
0005382622.tif 000006